(57)【要約】【課題】固体撮像素子において、導光路による受光効率の向上の効果を最大限に引き出す。【解決手段】ＣＣＤイメージセンサ２は、基板２０上に複数配列され、光を受光して光電変換を行う受光部１０と、受光部１０に光を導く導光路３０と、導光路３０の入射面３０ａに光を集光するマイクロレンズ３４とを備える。導光路３０は、受光部１０の側から光の入射する側にかけて、幅が略同一となるように形成され、受光部１０に向けて光を導くコア層３１、およびコア層３１よりも低い屈折率を有し、コア層３１を囲むクラッド層３２からなる。マイクロレンズ３４および導光路３０を含む光学系の開口数をＮＡ、コア層３１とクラッド層３２の屈折率をそれぞれｎ１、ｎ２として、（ｎ１２−ｎ２２）１／２≧ＮＡとなるように導光路３０が形成されている。これにより、導光路３０に導かれた入射光が漏れなく開口２８に向けて導かれる。【選択図】図４
2008103634.tif 000002
【特許請求の範囲】
【請求項１】
基板上に複数配列され、光を受光して光電変換を行う受光部と、前記受光部の側から光の入射する側にかけて、幅が略同一となるように形成され、前記受光部に向けて光を導くコア層、および前記コア層よりも低い屈折率を有し、前記コア層を囲むクラッド層からなる導光路と、前記導光路の入射面に光を集光するマイクロレンズとを備える固体撮像素子において、
前記マイクロレンズおよび前記導光路を含む光学系の開口数をＮＡ、前記コア層と前記クラッド層の屈折率をそれぞれｎ１、ｎ２としたとき、下記の条件式を満たすことを特徴とする固体撮像素子。
（ｎ１２−ｎ２２）１／２≧ＮＡ
【請求項２】
前記マイクロレンズへの光の入射角をθ、前記コア層に入射した光の前記受光部に垂直な線とのなす角をγ’としたとき、下記の条件式を満たすことを特徴とする請求項１に記載の固体撮像素子。
（ｎ１２−ｎ２２）１／２≧ＮＡ’、
但し、ＮＡ’＝ｎ１ｓｉｎγ’＝［ＮＡ｛（ｎ１／ｓｉｎα）２−１｝１／２＋ｎ１−（ｎ１２−ＮＡ２）１／２］ｓｉｎα／｛ｎ１２−２（ｎ１２−ＮＡ２）１／２＋１｝１／２、
ｓｉｎα＝ＮＡｃｏｓθ＋ｓｉｎθ｛１−（ｎ１２−ＮＡ２）１／２｝／｛ｎ１２−２（ｎ１２−ＮＡ２）１／２＋１｝１／２
【請求項３】
基板上に複数配列され、光を受光して光電変換を行う受光部と、前記受光部の側から光の入射する側に向かって、幅が漸増されるようにテーパー状に形成され、前記受光部に向けて光を導くコア層、および前記コア層よりも低い屈折率を有し、前記コア層を囲むクラッド層からなる導光路と、前記導光路の入射面に光を集光するマイクロレンズとを備える固体撮像素子において、
前記受光部に対して垂直に入射した光の前記コア層における前記受光部に垂直な線とのなす角をγ、前記マイクロレンズおよび前記導光路を含む光学系の開口数をＮＡ、前記コア層のテーパー角をφ、前記コア層と前記クラッド層の屈折率をそれぞれｎ１、ｎ２としたとき、下記の条件式を満たすことを特徴とする固体撮像素子。
（ｎ１２−ｎ２２）１／２≧ＮＡ’’、
但し、ＮＡ’’＝ｎ１ｓｉｎ（γ＋φ）＝ＮＡｃｏｓφ＋ｓｉｎφ（ｎ１２−ＮＡ２）１／２
【請求項４】
前記マイクロレンズへの光の入射角をθ、前記コア層に入射した光の前記受光部に垂直な線とのなす角をγ’としたとき、下記の条件式を満たすことを特徴とする請求項３に記載の固体撮像素子。
（ｎ１２−ｎ２２）１／２≧ＮＡ’’’、
但し、ＮＡ’’’＝ｎ１ｓｉｎ（γ’＋φ）＝［［ＮＡ｛（ｎ１／ｓｉｎα）２−１｝１／２＋ｎ１−（ｎ１２−ＮＡ２）１／２］ｃｏｓφ＋［｛（ｎ１２−ＮＡ２）１／２−１｝｛（ｎ１／ｓｉｎα）２−１｝１／２＋ＮＡ］ｓｉｎφ］ｓｉｎα／｛ｎ１２−２（ｎ１２−ＮＡ２）１／２＋１｝１／２、
ｓｉｎα＝ＮＡｃｏｓθ＋ｓｉｎθ｛１−（ｎ１２−ＮＡ２）１／２｝／｛ｎ１２−２（ｎ１２−ＮＡ２）１／２＋１｝１／２
【発明の詳細な説明】
【技術分野】
【０００１】
本発明は、デジタルカメラやビデオカメラに用いられるＣＣＤなどの固体撮像素子に関する。
【背景技術】
【０００２】
デジタルカメラやビデオカメラに用いられるＣＣＤなどの固体撮像素子は、画質を向上させるために、高解像度化が求められている。また、デジタルカメラやビデオカメラなどの小型化と相俟って、さらなる小型化も要求されている。このため、解像度を高めるとともに小型化を実現するためには、画素数を増やして、且つ画素の配列密度を高くする必要がある。
【０００３】
画素数を増やして、且つ画素の配列密度を高くするためには、画素自体のサイズを小さくすればよいが、サイズを小さくすると画素に入射する光の量が減少し、感度が低下してしまう。このため、従来の固体撮像素子では、入射光を集光するマイクロレンズを設け、高感度化を図っていた。しかしながら、画素サイズが数百ｎｍ〜数μｍ程度まで微細化された現状の固体撮像素子では、マイクロレンズのみでは所望の感度を得ることができず、小型化が限界の域に達していた。
【０００４】
そこで、マイクロレンズのみではなし得なかった、高感度化、小型化を達成するために、画素を構成する受光部上に、入射光を受光部に導く導光路を形成した固体撮像素子が提案されている（特許文献１、２参照）。
【特許文献１】特開平５−２３５３１３号公報
【特許文献２】特開２００５−２５１８０４号公報
【発明の開示】
【発明が解決しようとする課題】
【０００５】
ところで、従来、マイクロレンズを作製する際には、マイクロレンズの原料となる熱変形樹脂を成膜し、これを一つの画素に一個のマイクロレンズが割り当てられるようにパターニングした後、リフロー熱処理して所望の凸レンズ形状を得るようにしているので、マイクロレンズのサイズを厳密に制御することが困難であった。このため、特許文献１、２に記載される発明では、マイクロレンズで集光された光を効率よく受光部に導くための導光路のサイズを特に規定していない。しかしながら、マイクロレンズのサイズを厳密に制御することが可能となれば、受光効率を高めるためには、導光路のサイズの最適化が必要となる。
【０００６】
本発明は、上記課題を鑑みてなされたものであり、導光路による受光効率の向上の効果を最大限に引き出すことが可能な固体撮像素子を提供することを目的とする。
【課題を解決するための手段】
【０００７】
上記目的を達成するために、本発明は、基板上に複数配列され、光を受光して光電変換を行う受光部と、前記受光部の側から光の入射する側にかけて、幅が略同一となるように形成され、前記受光部に向けて光を導くコア層、および前記コア層よりも低い屈折率を有し、前記コア層を囲むクラッド層からなる導光路と、前記導光路の入射面に光を集光するマイクロレンズとを備える固体撮像素子において、前記マイクロレンズおよび前記導光路を含む光学系の開口数をＮＡ、前記コア層と前記クラッド層の屈折率をそれぞれｎ１、ｎ２としたとき、下記の条件式を満たすことを特徴とする。
（ｎ１２−ｎ２２）１／２≧ＮＡ
【０００８】
前記マイクロレンズへの光の入射角をθ、前記コア層に入射した光の前記受光部に垂直な線とのなす角をγ’としたとき、下記の条件式を満たすことが好ましい。
（ｎ１２−ｎ２２）１／２≧ＮＡ’、但し、ＮＡ’＝ｎ１ｓｉｎγ’＝［ＮＡ｛（ｎ１／ｓｉｎα）２−１｝１／２＋ｎ１−（ｎ１２−ＮＡ２）１／２］ｓｉｎα／｛ｎ１２−２（ｎ１２−ＮＡ２）１／２＋１｝１／２、ｓｉｎα＝ＮＡｃｏｓθ＋ｓｉｎθ｛１−（ｎ１２−ＮＡ２）１／２｝／｛ｎ１２−２（ｎ１２−ＮＡ２）１／２＋１｝１／２
【０００９】
また、本発明は、基板上に複数配列され、光を受光して光電変換を行う受光部と、前記受光部の側から光の入射する側に向かって、幅が漸増されるようにテーパー状に形成され、前記受光部に向けて光を導くコア層、および前記コア層よりも低い屈折率を有し、前記コア層を囲むクラッド層からなる導光路と、前記導光路の入射面に光を集光するマイクロレンズとを備える固体撮像素子において、前記受光部に対して垂直に入射した光の前記コア層における前記受光部に垂直な線とのなす角をγ、前記マイクロレンズおよび前記導光路を含む光学系の開口数をＮＡ、前記コア層のテーパー角をφ、前記コア層と前記クラッド層の屈折率をそれぞれｎ１、ｎ２としたとき、下記の条件式を満たすことを特徴とする。
（ｎ１２−ｎ２２）１／２≧ＮＡ’’、但し、ＮＡ’’＝ｎ１ｓｉｎ（γ＋φ）＝ＮＡｃｏｓφ＋ｓｉｎφ（ｎ１２−ＮＡ２）１／２
【００１０】
前記マイクロレンズへの光の入射角をθ、前記コア層に入射した光の前記受光部に垂直な線とのなす角をγ’としたとき、下記の条件式を満たすことが好ましい。
（ｎ１２−ｎ２２）１／２≧ＮＡ’’’、但し、ＮＡ’’’＝ｎ１ｓｉｎ（γ’＋φ）＝［［ＮＡ｛（ｎ１／ｓｉｎα）２−１｝１／２＋ｎ１−（ｎ１２−ＮＡ２）１／２］ｃｏｓφ＋［｛（ｎ１２−ＮＡ２）１／２−１｝｛（ｎ１／ｓｉｎα）２−１｝１／２＋ＮＡ］ｓｉｎφ］ｓｉｎα／｛ｎ１２−２（ｎ１２−ＮＡ２）１／２＋１｝１／２、ｓｉｎα＝ＮＡｃｏｓθ＋ｓｉｎθ｛１−（ｎ１２−ＮＡ２）１／２｝／｛ｎ１２−２（ｎ１２−ＮＡ２）１／２＋１｝１／２
【発明の効果】
【００１１】
本発明の固体撮像素子によれば、受光部の側から光の入射する側にかけて、幅が略同一となるようにコア層が形成されている場合は、マイクロレンズおよび導光路を含む光学系の開口数をＮＡ、コア層とクラッド層の屈折率をそれぞれｎ１、ｎ２としたとき、（ｎ１２−ｎ２２）１／２≧ＮＡを満たし、受光部の側から光の入射する側に向かって、幅が漸増されるようにテーパー状にコア層が形成されている場合は、前記マイクロレンズへの光の入射角をθ、コア層のテーパー角をφとしたとき、（ｎ１２−ｎ２２）１／２≧ＮＡ’’、ＮＡ’’＝ｎ１ｓｉｎ（θ＋φ）＝ＮＡｃｏｓφ＋ｓｉｎφ（ｎ１２−ＮＡ２）１／２を満たすので、導光路に導かれた入射光を漏れなく受光部に導くことができる。したがって、導光路による受光効率の向上の効果を最大限に引き出すことが可能となる。
【発明を実施するための最良の形態】
【００１２】
図１において、ＣＣＤイメージセンサ２は、受光部１０、読み出し転送ゲート（以下、ＴＧと略す。）１１、垂直ＣＣＤ（以下、ＶＣＣＤと略す。）１２、水平ＣＣＤ（以下、ＨＣＣＤと略す。）１３、および出力アンプ１４から構成される。
【００１３】
受光部１０は、垂直方向（矢印Ａ方向）および水平方向（矢印Ｂ方向）に所定のピッチでマトリクス状に複数配列されている。受光部１０は、マイクロレンズ３４および導光路３０（ともに図２参照）を介して入射した光を受光して光電変換を行い、入射光の光量に応じた信号電荷を生成して蓄積する。ＴＧ１１は、各受光部１０に設けられており、受光部１０に蓄積された信号電荷をＶＣＣＤ１２に転送する。
【００１４】
ＶＣＣＤ１２は、受光部１０の垂直列間に設けられている。ＶＣＣＤ１２は、ＴＧ１１を介して受光部１０から転送された信号電荷を、ＨＣＣＤ１３に向けて一行ずつ垂直方向に転送する。ＨＣＣＤ１３には、各ＶＣＣＤ１２の最終端が接続されている。ＨＣＣＤ１３は、ＶＣＣＤ１２の最終端から出力された信号電荷を一行ずつ受け取り、一行分の信号電荷を受け取るたびに、出力アンプ１４に向けて転送する。出力アンプ１４は、ＨＣＣＤ１３からの一行分の信号電荷を、その電荷量に応じた信号電圧に変換し、ＣＣＤイメージセンサ２の外部に撮像信号として出力する。
【００１５】
図１のａ−ａ’線に沿う断面を示す図２において、例えば、シリコンからなるｎ型半導体の基板２０上には、ｐ型ウェル層２１が形成されている。ｐ型ウェル層２１には、信号電荷を蓄積する第１ｎ型層２２が形成されている。第１ｎ型層２２の上には、正孔を蓄積するｐ＋型層２３が形成されている。ｐ型ウェル層２１の表層には、第２ｎ型層２４が形成されている。第２ｎ型層２４は、ｐ型ウェル層２１またはｐ＋型層２３によって、第１ｎ型層２２から分離されている。
【００１６】
受光部１０は、基板２０を含む各層のｐｎｐｎ接合により構成された、いわゆる埋め込み型フォトダイオードである。また、ＴＧ１１は、第１、第２ｎ型層２２、２４間のｐ型ウェル層２１によって構成され、ＶＣＣＤ１２は、第２ｎ型層２４によって構成されている。
【００１７】
第２ｎ型層２４の上方には、第１絶縁層（例えば、酸化シリコンからなる。）２５を介して、転送電極（例えば、多結晶シリコンからなる。）２６が形成されている。転送電極２６は、第１、第２ｎ型層２２、２４間のｐ型ウェル層２１上にも延在している。転送電極２６には、ＶＣＣＤ１２による信号電荷の垂直転送、およびＴＧ１１による第１ｎ型層２２から第２ｎ型層２４への信号電荷の読み出し転送を制御する駆動電圧が印加される。
【００１８】
転送電極２６の周囲を覆う第２絶縁層（例えば、酸化シリコンからなる。）２７の上には、各受光部１０の開口２８を除く領域を遮光する遮光層（例えば、タングステンからなる。）２９が形成されている。また、開口２８上には、導光路３０が形成されている。
【００１９】
導光路３０は、入射光を開口２８に向けて導光するもので、高い屈折率を有する材料、例えば、窒化シリコン（屈折率１．９〜２．０）からなるコア層３１と、絶縁性で低い屈折率を有する材料、例えば、ＢＰＳＧ（Boron phosphorus silicate glass、屈折率１．４〜１．５）からなるクラッド層３２とから形成されている。
【００２０】
コア層３１は、略筒状に形成されており、開口２８の中心にその中心が一致するように配されている。クラッド層３２は、ＣＭＰ（Chemical Mechanical Polishing）法などによって、表面が平坦化されている。
【００２１】
クラッド層３２上には、カラーフィルタ３３、およびマイクロレンズ３４が設けられている。カラーフィルタ３３は、特定の色、例えば、赤、緑、青、あるいはシアン、マゼンタ、イエローの光を透過させる色素がそれぞれ含まれたレジスト材からなる。マイクロレンズ３４は、その中心を通る光軸Ｌが開口２８の中心を通り、且つ開口２８の面に垂直になるように配され、光軸Ｌに平行な入射光を効率よく導光路３０の入射面３０ａに向けて集光するような曲率を有する。なお、煩雑を避けるため、カラーフィルタ３３、およびマイクロレンズ３４のみにハッチングを施し、他の部分は省略する。
【００２２】
ここで、導光路３０に導かれた入射光を漏れなく開口２８に向けて導くためには、入射光がコア層３１からクラッド層３２へ透過しない条件、つまり、コア層３１とクラッド層３２との界面で入射光が全反射する条件を求めればよい。
【００２３】
光軸Ｌに平行に光が入射するとき（入射角０°）、図３に示すように、マイクロレンズ３４の最周縁部から入射した光ａよりも、マイクロレンズ３４の中心部側から入射した光ｂのほうが、コア層３１とクラッド層３２との界面への入射角が大きいので、光ａが全反射されれば、導光路３０に導かれた全ての入射光が全反射される。したがって、最終的には、コア層３１とクラッド層３２との界面で光ａが全反射する条件を求めればよい。すなわち、図４に示すように、光軸Ｌに対して平行に入射した光のコア層３１における光軸Ｌとのなす角をγ、コア層３１、クラッド層３２の屈折率をそれぞれｎ１、ｎ２としたとき、スネルの法則より、
ｓｉｎ（π／２−γ）≧ｎ２／ｎ１・・・（１）
となる。この式（１）を変形すると、
（ｎ１２−ｎ２２）１／２≧ｎ１ｓｉｎγ
ここで、ｎ１ｓｉｎγ＝ＮＡであるので、上式は、
（ｎ１２−ｎ２２）１／２≧ＮＡ・・・（２）
となる。導光路３０は、コア層３１、クラッド層３２の屈折率が式（２）を満たすように形成されている。
【００２４】
次に、上記構成を有するＣＣＤイメージセンサ２の動作について説明する。ＣＣＤイメージセンサ２に入射された光は、マイクロレンズ３４により入射面３０ａに集光される。入射面３０ａに集光された光は、クラッド層３２よりもコア層３１の屈折率が高いことにより、導光路３０により開口２８へと導かれる。このとき、コア層３１、クラッド層３２の屈折率が式（２）を満たすように形成されているので、導光路３０に導かれた入射光がコア層３１とクラッド層３２との界面で全反射され、漏れなく開口２８へと導かれる。
【００２５】
受光部１０で光が受光されると、受光部１０で光電変換が行われ、入射光量に応じた信号電荷が生成されて蓄積される。そして、転送電極２６に駆動電圧が印加されると、受光部１０に蓄積された信号電荷がＴＧ１１を介してＶＣＣＤ１２に転送される。ＶＣＣＤ１２に転送された信号電荷は、ＶＣＣＤ１２を垂直転送されて、ＨＣＣＤ１３に転送される。ＨＣＣＤ１３に転送された信号電荷は、ＨＣＣＤ１３を水平転送されて、出力アンプ１４により信号電圧に変換され、外部に撮像信号として出力される。
【００２６】
以上説明したように、式（２）を満たすように導光路３０を形成するので、導光路３０に導かれた入射光を効率よく受光部１０に入射させることができ、ＣＣＤイメージセンサ２の高感度化を促進させることができる。また、これに伴い、ＣＣＤイメージセンサ２の小型化、高解像度化に寄与することができる。
【００２７】
なお、上記実施形態では、光軸Ｌに平行な入射光のみを対象に説明しているが、光軸Ｌに平行な入射光だけでなく、光軸Ｌに平行でない斜め方向から光が入射した場合に、導光路３０に導かれた入射光を漏れなく開口２８に向けて導くためには、光軸Ｌに平行に光が入射するときと同様に、図５に示すマイクロレンズ３４の最周縁部から入射した光ａ’が、コア層３１とクラッド層３２との界面で全反射する条件を求めればよい。すなわち、図６に示すように、光軸Ｌに対して斜めに入射した光のコア層３１における光軸Ｌとのなす角をγ’としたとき、
（ｎ１２−ｎ２２）１／２≧ＮＡ’
但し、ＮＡ’＝ｎ１ｓｉｎγ’＝［ＮＡ｛（ｎ１／ｓｉｎα）２−１｝１／２＋ｎ１−（ｎ１２−ＮＡ２）１／２］ｓｉｎα／｛ｎ１２−２（ｎ１２−ＮＡ２）１／２＋１｝１／２、
ｓｉｎα＝ＮＡｃｏｓθ＋ｓｉｎθ｛１−（ｎ１２−ＮＡ２）１／２｝／｛ｎ１２−２（ｎ１２−ＮＡ２）１／２＋１｝１／２・・・（３）
を満たすことが好ましい。
【００２８】
上記実施形態では、コア層３１を略筒状としているが、四角柱状でもよい。また、図７に示すように、受光部１０の側から光の入射する側に向かって、幅が漸増されるようにテーパー状に形成したコア層４０、およびクラッド層４１からなる導光路４２を用いてもよい。
【００２９】
図７に示す系の場合、光軸Ｌに平行に光が入射したときに、コア層４０とクラッド層４１との界面で入射光が全反射する条件は、コア層３１を略筒状とした場合と同様に、図８に示す光ａが、コア層４０とクラッド層４１との界面で全反射する条件を求めればよい。すなわち、図９に示すように、コア層４０のテーパー角（コア層４０の断面の傾斜角）をφ、光軸Ｌに対して平行に入射した光のコア層３１における光軸Ｌとのなす角をγとしたとき、スネルの法則より、
ｓｉｎ｛π／２−（φ＋γ）｝≧ｎ２／ｎ１・・・（４）
となる。この式（４）を、開口数ＮＡを含む式に変形すると、
（ｎ１２−ｎ２２）１／２≧ＮＡ’’、
但し、ＮＡ’’＝ｎ１ｓｉｎ（θ＋φ）＝ＮＡｃｏｓφ＋ｓｉｎφ（ｎ１２−ＮＡ２）１／２・・・（５）
となる。導光路４２は、コア層４０、クラッド層４１の屈折率、およびコア層４０のテーパー角が式（５）を満たすように形成されている。
【００３０】
さらに、光軸Ｌに平行でない斜め方向から光が入射した場合に、導光路４２に導かれた入射光を漏れなく開口２８に向けて導くためには、コア層３１を略筒状とした場合と同様に、図１０に示す光ａ’が、コア層４０とクラッド層４１との界面で全反射する条件を求めればよい。すなわち、図１１に示すように、光軸Ｌに対して斜めに入射した光のコア層４０における光軸Ｌとのなす角をγ’としたとき、
（ｎ１２−ｎ２２）１／２≧ＮＡ’’’、
但し、ＮＡ’’’＝ｎ１ｓｉｎ（θ＋φ）＝［［ＮＡ｛（ｎ１／ｓｉｎα）２−１｝１／２＋ｎ１−（ｎ１２−ＮＡ２）１／２］ｃｏｓφ＋［｛（ｎ１２−ＮＡ２）１／２−１｝｛（ｎ１／ｓｉｎα）２−１｝１／２＋ＮＡ］ｓｉｎφ］ｓｉｎα／｛ｎ１２−２（ｎ１２−ＮＡ２）１／２＋１｝１／２、
ｓｉｎα＝ＮＡｃｏｓθ＋ｓｉｎθ｛１−（ｎ１２−ＮＡ２）１／２｝／｛ｎ１２−２（ｎ１２−ＮＡ２）１／２＋１｝１／２・・・（６）
を満たすことが好ましい。
【００３１】
なお、図２に示す導光路３０を有するＣＣＤイメージセンサでは、受光部により構成される画素のサイズ（マイクロレンズの有効径Ｄ）と、導光路を設けない場合を１００％とした場合の入射光量の増大率との間には、図１２に示すような関係がある。すなわち、画素サイズ２．０５μｍのときに増大率が最大となり、以降は画素サイズが大きくなるにつれて増大率が減少する。
【００３２】
また、上記のようなＣＣＤイメージセンサにおいては、画素の配列ピッチと、平行入射光の光量を１とした場合の入射角１５°のときの入射光量との間には、図１３に示すような関係がある。すなわち、ピッチが広くなるにつれて入射光量も増大し、導光路なしの場合よりも導光路ありの場合の方が、全体的に入射光量が大きくなる。上記実施形態では、図１２、および図１３に示す特性を参考にして、画素サイズやピッチを設定する。なお、グラフ中の数値は、左側が画素サイズ、右側の括弧内が開口幅をそれぞれ示す。
【００３３】
上記実施形態では、インターライントランスファ方式のＣＣＤイメージセンサ２を例示して説明しているが、本発明はこれに限定されず、フレームトランスファ方式のＣＣＤイメージセンサや、ＣＭＯＳイメージセンサなどの他の固体撮像素子に適用することも可能である。
【図面の簡単な説明】
【００３４】
【図１】ＣＣＤイメージセンサの構成を示す概略平面図である。
【図２】図１のａ−ａ’線に沿う断面図である。
【図３】コア層とクラッド層との界面で、光軸に平行に入射した光が全反射するための条件式を説明するための図である。
【図４】コア層とクラッド層との界面で、光軸に平行に入射した光が全反射するための条件式を説明するための図である。
【図５】コア層とクラッド層との界面で、光軸に対して斜めに入射した光が全反射するための条件式を説明するための図である。
【図６】コア層とクラッド層との界面で、光軸に対して斜めに入射した光が全反射するための条件式を説明するための図である。
【図７】別の実施形態を示す断面図である。
【図８】図７に示す系で、コア層とクラッド層との界面で、光軸に平行に入射した光が全反射するための条件式を説明するための図である。
【図９】図７に示す系で、コア層とクラッド層との界面で、光軸に平行に入射した光が全反射するための条件式を説明するための図である。
【図１０】図７に示す系で、コア層とクラッド層との界面で、光軸に対して斜めに入射した光が全反射するための条件式を説明するための図である。
【図１１】図７に示す系で、コア層とクラッド層との界面で、光軸に対して斜めに入射した光が全反射するための条件式を説明するための図である。
【図１２】画素サイズと入射光量の増大率との関係を示すグラフである。
【図１３】画素の配列ピッチと入射角１５°の場合の入射光量との関係を示すグラフである。
【符号の説明】
【００３５】
２  ＣＣＤイメージセンサ
１０  受光部
２０  基板
３０、４２  導光路
３０ａ、４２ａ  入射面
３１、４０  コア層
３２、４１  クラッド層
３４  マイクロレンズ
【図１】
2008103634.tif 000003
【図２】
2008103634.tif 000004
【図３】
2008103634.tif 000005
【図４】
2008103634.tif 000006
【図５】
2008103634.tif 000007
【図６】
2008103634.tif 000008
【図７】
2008103634.tif 000009
【図８】
2008103634.tif 000010
【図９】
2008103634.tif 000011
【図１０】
2008103634.tif 000012
【図１１】
2008103634.tif 000013
【図１２】
2008103634.tif 000014
【図１３】
2008103634.tif 000015